(57)【特許請求の範囲】
【請求項１】
入力された色分解画像信号を修正して目標色をＣ，Ｍ，Ｙ，一つ以上の高彩度色材及びＫを用いて再現するための色分解画像修正方法において、ＹＭＣ又はＹＭＣＫによる色域と、前記高彩度色材を含む色域を組み合わせて色再現する場合、
前記ＹＭＣ又はＹＭＣＫによる色域を縮小することにより、前記高彩度色材を含む色域を拡大させる処理を行なうことを特徴とする特色の色再現方法。
【請求項２】
前記色域が、ＹＭＣ又はＹＭＣＫによる色域と、高彩度色材を含む色域を組み合わせて色再現することを特徴とする請求項１記載の特色の色再現方法。
【請求項３】
前記色域を縮小する場合は主としてＹ＋Ｃ，Ｙ＋Ｍ，Ｃ＋Ｍの何れかの２次色に対して、Ｒ（Ｙ＋Ｍ）の領域にシアンが入り込み、Ｇ（Ｙ＋Ｃ）の領域にマゼンタが入り込み、Ｂ（Ｍ＋Ｃ）の領域にイエローが入り込む処理を行なうことを特徴とする請求項２記載の特色の色再現方法。
【発明の詳細な説明】
【０００１】
【発明の属する技術分野】
本発明は、特色の色再現方法に関する。本発明者は、「４色以上の色材を用いた測色的色再現、カラーフォーラムＪａｐａｎ´９９，ｐｐ．１０７−１１０（０９９９）」では、高彩度色、いわゆる特色を用いたプリンタの色再現方法を提案している。また、これらの手法の関係を「Ｐｏ−Ｃｈｉｅｈ  Ｈｕｎｇ，Ｃｏｌｏｒｉｍｅｔｒｉｃ  Ｃｈａｒａｃｔｅｒｉｚａｔｉｏｎ  ｂｅｙｏｎｄ  Ｔｈｒｅｅ  Ｃｏｌｏｒａｎｔｓ，Ｅｌｅｃｔｒｏｎｉｃ  Ｉｍａｇｉｎｇ  Ｃｏｎｆｅｒｅｎｃｅ，ｐｐ．１９６−２０７（２０００）」で示している。
【０００２】
【従来の技術】
カラープリンタでは、例えばＹ，Ｍ，Ｃ，Ｋを用いたものが利用されている。しかしながら、Ｙ，Ｍ，Ｃ，Ｋのみでは作れない色がある。そこで、Ｙ，Ｍ，Ｃ，Ｋの色に加えてハイファイ色（特色）を加えて、より色再現性のよいプリンタを作ることができる。
【０００３】
本発明者は、前に、Ｙ，Ｍ，Ｃ，Ｋに加えてＲ，Ｇ，Ｂ色を特色として用いて良好な画像をプリントすることができるシステムについて提案した（特願平１１−３１６００２号）。この発明では、Ｙ，Ｍ，Ｃで使えるところは、なるべくＹ，Ｍ，Ｃを用いた色域で画像変換を行ない、Ｙ，Ｍ，Ｃで使えない場合には、Ｒ，Ｇ，Ｂ等のハイファイ色（特色）を用いて色再現するものである（ｍｉｎ  Ｈｉｆｉ）。なお、Ｙ，Ｍ，Ｃに加えてハイファイ色を積極的に用いて色変換を行なう方式をｍａｘ  Ｈｉｆｉという。
【０００４】
【発明が解決しようとする課題】
しかしながら、前述した先行技術には、以下に示すような不具合があった。
▲１▼色変換する時に、Ｙ，Ｍ，Ｃの変換範囲が狭すぎると、Ｙ，Ｍ，Ｃ領域から突然特色領域に色が移り、中間領域がなくなってしまうという問題があった。
【０００５】
▲２▼色変換する時に、Ｙ，Ｍ，Ｃの変換範囲が広い場合、特色領域から突然Ｙ，Ｍ，Ｃ領域に変化し、色が突然変化してしまう（色のねじれ）という問題があった。
【０００６】
従って、先行技術の場合、Ｙ，Ｍ，Ｃで出せるぎりぎりの色域のところに特色が存在している場合、疑似輪郭が発生するという問題があった。
本発明はこのような課題に鑑みてなされたものであって、特色で再現される領域を大きくして、色変換テーブルの格子点が数多く割り振られるようにして、原色量の急激な変化を抑制することができる特色の色再現方法及びチャートを提供することを目的としている。
【０００７】
【課題を解決するための手段】
（１）請求項１記載の発明は、入力された色分解画像信号を修正して目標色をＣ，Ｍ，Ｙ，一つ以上の高彩度色材及びＫを用いて再現するための色分解画像修正方法において、ＹＭＣ又はＹＭＣＫによる色域と、前記高彩度色材を含む色域を組み合わせて色再現する場合、
前記ＹＭＣ又はＹＭＣＫによる色域を縮小することにより、前記高彩度色材を含む色域を拡大させる処理を行なうことを特徴とする。
【０００８】
このように構成すれば、特色で割り振られる色変換テーブルの格子点を増やし、原色量の急激な変化を抑制することができる。
（２）請求項２記載の発明は、前記色域が、ＹＭＣ又はＹＭＣＫによる色域と、高彩度色材を含む色域を組み合わせて色再現することを特徴とする。
【０００９】
このように構成すれば、高彩度色材を組み合わせてより好ましい色再現を行なうことができる。
（３）請求項３記載の発明は、前記色域を縮小する場合は主としてＹ＋Ｃ，Ｙ＋Ｍ，Ｃ＋Ｍの何れかの２次色に対して、Ｒ（Ｙ＋Ｍ）の領域にシアンが入り込み、Ｇ（Ｙ＋Ｃ）の領域にマゼンタが入り込み、Ｂ（Ｍ＋Ｃ）の領域にイエローが入り込む処理を行なうことを特徴とする。
【００１０】
このようにすれば、小さい方の色域が大きくなるようにすることができ、原色量の急激な変化を抑制することができる。
【００１３】
【発明の実施の形態】
以下、図面を参照して本発明の実施の形態例を詳細に説明する。
図１は本発明の一実施の形態例を示すブロック図である。図において、１は入力された色分解画像信号を受けて、少なくとも２つ以上の３色ないしは４色の色域を設定する色域設定部、２は該色域設定部１で設定された色域毎に、色変換を行なってＹ，Ｍ，Ｃ，Ｋ，Ｒ，Ｇ，Ｂの色信号を出力する色変換部である。３は該色変換部２の出力を受けて画像信号を出力する画像出力装置であり、例えばプリンタが用いられる。このように構成された装置の動作を説明すれば、以下の通りである。
【００１４】
色域設定部１は、色分解画像信号を受けて図２に示すような色域を設定する。図において、ハッチングで示す領域ｆ２がＹ，Ｍ，Ｃ領域で、本発明で用いる領域である。一方、ｆ１で示す領域（太い実線で示す領域）が従来の領域である。本発明では、Ｙ，Ｍ，Ｃ領域を狭くして、なるべくＹ，Ｍ，Ｃ領域の色を使用するようにし、Ｙ，Ｍ，Ｃ領域で表わせられない領域の色は、Ｒ，Ｇ，Ｂ領域の色を用いて表わすようにしている。
【００１５】
図２では、例えばレッド（Ｒ）方向の色域の縮小をＲの色相方向のみ行ない、Ｙ，Ｍ，Ｃの色域を縮小し、その分だけＲ色域を拡大している。このような特色領域の拡大は、他のＧ、Ｂ色域についても同じように行なう。これにより、特色領域を増やして良好な色再現を行なうことができる。
【００１６】
このようにして設定された色域に対して、続く色変換部（ＬＵＴ）２で色変換を行なう。本発明によれば、色変換を行なう時に、変換範囲が狭すぎることがなくなるので、Ｙ，Ｍ，Ｃから特色に突然変換され、変化が急激になるということがなくなる。また、Ｙ，Ｍ，Ｃ領域が拡がって、特色からＹ，Ｍ，Ｃ系に突然色が変化することがなくなり、いわゆる色のねじれがなくなる。色変換部２の出力は画像出力装置３から画像出力される。例えばプリントされる。この結果、プリントされた色は、鮮やかな色となる。
【００１７】
上述の実施の形態例では、特色としてＲ，Ｇ，Ｂを用いる場合について説明したが、これ以外でもかまわない。以降も同様である。
ここで、色変換方法の詳細について説明する。従来の方法でのカラーチャートの色票値をＹＭＣＫＢＧＲとした時に、新しい色票値をＣｏｌiとした時に、
Ｃｏｌi＝ｆi（Ｙ，Ｍ，Ｃ，Ｋ，Ｂ，Ｇ，Ｒ）      （１）
とする。ここで、Ｃｏｌiは、ｉ色の新しい色票値である。
【００１８】
ここで、関数は次のように、Ｙ，Ｍ，Ｃでできる立方体の各頂点に対して値を設定し、その間を補間することにより簡単に実現できる。但し、その他の色はそのまま用いる。
【００１９】
図３は色の変換の関係を示す図である。（ａ）は入出力間に色の変換がない場合であり、この場合には入出力は全く同じになる。図では、各色を作り出すのに、Ｙ，Ｍ，Ｃを用いて組み合わせている。つまり、赤の場合には、ＹとＭそれぞれに２５５という最大値を与え、Ｙ，Ｍ，Ｃ系で出せる一番鮮やかな赤を示す。また、黒（ブラックの場合）は、Ｙ，Ｍ，Ｃ共に２５５と最大値をとっている。Ｙ，Ｍ，Ｃがそれぞれ中間値をとる場合には、色はグレーとなる。緑の場合には、Ｙが２５５、Ｍが０、Ｃが２５５と最大値をとる。青の場合には、Ｙが０、Ｍが２５５、Ｃが２５５と最大値をとる。
【００２０】
図３の（ｂ）は入力に対する出力を変化させる場合を示している。図では、赤と、緑と、青（特色）を変化させている。
ここで、変化させる色を求める式は以下で表される。
Ｄｒ＝α・２５５＋（１−α）・１２８       （２）
Ｄｇ＝β・２５５＋（１−β）・１２８       （３）
Ｄｂ＝γ・２５５＋（１−γ）・１２８       （４）
Ｄｒ’＝（１−α）・１２８                 （５）
Ｄｇ’＝（１−β）・１２８                 （６）
Ｄｂ’＝（１−γ）・１２８                 （７）
以上の式は、色域の大きさをコントロールするための式である。例えば、α＝０．５の場合についてＣｏｌiを求めると、
Ｃｏｌy＝０．５×２５５＋（１−０．５）・１２８＝１９１
Ｃｏｌm＝０．５×２５５＋（１−０．５）・１２８＝１９１
Ｃｏｌc＝（１−０．５）・１２８＝６４
となり、赤の領域にシアンが入り込んできていることが分かる。
ここで、α、β、γは０〜１までの定数で、彩度を約半分にするには係数として０．５を与える。このように、色変換部２は、Ｙ，Ｍ，Ｃに対する変換を決定し、それ以外の点は補間演算する。
【００２１】
補間演算には、以下に示す４点補間、８点補間が使用可能となる。これ以外にも６点や５点補間等を用いることができる。
図４は補間演算を説明する図である。（ａ）は８点補間を、（ｂ）は４点補間をそれぞれ示す。８点補間の場合、補間値ｐymcは次式で表される。ここでは、Ｙ，Ｍ，Ｃのかわりにｙ、ｍ、ｃを用いた。
0004158327.tif 000002
４点補間の場合、例えばｙ≧ｍ≧ｃの場合、補間値ｐymcは次式で表される。
【００２２】
ｐymc＝ｐa（１−ｍ）＋ｐb（ｙ−ｍ）＋ｐｃ（ｍ−ｃ）＋ｐg・ｃ  （９）
このような処理を行なうと、色空間内での色域の範囲は図５の図のようになり、特色でできる色域が広くなり、結果として疑似輪郭が発生しにくくなる。図５は、通常の色域に対して、低彩度化した色域を示している。
【００２３】
ここで、彩度圧縮は、特色に応じて決定させるのがよいが、０．５〜０．７程度がよい。また、このようにして求めた色票（チャート）を測定し、従来のＭｉｎ  Ｈｉｆｉの手法を適用して、色変換テーブルを求める。この計算は、上の変換を行なわないで色再現の計算を行なう場合と全く同じ方法を利用することができる。
【００２４】
但し、この時、各色の実体は、上の表（図３）に従い計算された色であるためて  最終的にできあがった色変換テーブルの出力を上の表に従い計算された補色の混ざった色に直すことで、最終的なテーブルができあがる。
【００２５】
上述の実施の形態例では、色域がＹＭＣ又はＹＭＣＫによる色域と、高彩度色材を含む色域を組み合わせて色再現することを示した。この場合において、色域の縮小は、主としてＹ＋Ｃ，Ｙ＋Ｍ，Ｃ＋Ｍの２次色に対して行なう。このようにすれば、小さい方の色域が大きくなるようにすることができ、原色の急激な変化を抑制することができる。
【００２６】
本発明の効果を示せば、以下の通りである。
▲１▼入力格子点が各色域にバランスよく多数配置されることになり、スムーズな変化となり、結果として疑似輪郭が減る。また、インク消費が均等になりやすい利点もある。
【００２７】
▲２▼特色の使用が増え、インクが均等に消費されるようになる。
▲３▼特色として２次色近似色が使われることが多いが（各色域の大きさが均等になるため）、特色と２次色が似た色の時に、上記の効果が顕著に現れる。
【００２８】
▲４▼特色の存在しない色相角度では、彩度圧縮を行なわないため、色域を無駄なく利用することができる。
【００２９】
【発明の効果】
本発明によれば、以下のような効果が得られる。
（１）請求項１記載の発明によれば、特色で割り振られる色変換テーブルの格子点を増やし、原色量の急激な変化を抑制することができる。
【００３０】
（２）請求項２記載の発明によれば、高彩度色材を組み合わせてより好ましい色再現を行なうことができる。
（３）請求項３記載の発明によれば、小さい方の色域が大きくなるようにすることができ、原色量の急激な変化を抑制することができる。
【００３２】
このように、本発明によれば、原色量の急激な変化を抑制することができる特色の色再現方法及びチャートを提供することができる。
【図面の簡単な説明】
【図１】本発明の一実施の形態例を示すブロック図である。
【図２】色域設定の説明図である。
【図３】色の変換の関係を示す図である。
【図４】補間演算を説明する図である。
【図５】色空間内での色域の範囲を示す図である。
【符号の説明】
１  色域設定部
２  色変換部
３  画像出力装置
【図１】
0004158327.tif 000003
【図２】
0004158327.tif 000004
【図３】
0004158327.tif 000005
【図４】
0004158327.tif 000006
【図５】
0004158327.tif 000007